(57)【要約】【課題】この発明は、産業上及び日常生活に於けるあらゆる水仕事や手洗い洗顔時に於いて、一筋の水も手首から浸入させない手首の完全防水と着衣の袖部分の水濡れ防止ができる手首の水止めカバーを得る。【解決手段】着衣の袖口５と袖部６を収容出来る防水袖カバー部１と、この防水袖カバー部１の一端に設けられ手首に密着する様に形成された手首バンド部２と、防水袖カバー部１の他端に設けられ防水袖カバー部１の外周部から外方向に湾曲して折り返された水戻し翼部３とを備える。【選択図】        図３
2004316043.tif 000002
【特許請求の範囲】
【請求項１】
着衣の上から腕を通して袖が濡れない様にカバーする手首の水止めカバーにおいて、着衣の袖口と袖部を収容出来る防水袖カバー部と、この防水袖カバー部の一端に設けられ手首に密着する様に形成された手首バンド部と、防水袖カバー部の他端に設けられ防水袖カバー部の外周部から外方向に湾曲して折り返された水戻し翼部とを備えたことを特徴とする手首の水止めカバー。
【発明の詳細な説明】
【０００１】
【発明の属する技術分野】
この発明は、産業上及び日常生活に於けるあらゆる水仕事や手洗い洗顔時に於いて、腕時計やブレスレットなどの装身具や袖口及び袖の水濡れを防止するカバーに関するものである。
【０００２】
【従来の技術】
従来の一般的な腕抜き形防水カバーは、ビニール系素材で製作された筒形の袖口と上腕部を輪差にしてゴム紐を通して絞って縮めたものである。
【０００３】
また、従来の他の腕抜き形防水カバーとして、幅広のゴムバンドと内部水止めカバーを輪差にして二重にゴム紐で絞って縮めて、手首内部への水の浸入を防止したものがある。（例えば特許文献１参照）
【０００４】
【特許文献１】特開平１１−２００１２０
【０００５】
【発明が解決しようとする課題】
従来の一般的な腕抜き形防水カバーは、腕に装着して水作業をするときに、水をすくった手や濡れた手を肘関節を曲げて上方に上げたりすると、絞って縮めた事により出来た沢山のギャザーのすきまから水が手首内部に浸入してしまい、肌も装身具も袖口も濡れてしまうという問題点があった。
【０００６】
また、特許文献１に示す腕抜き形防水カバーは、上述の様に構成されているが、水の特質は一筋のしわ１ｍｍのくぼみ一針の縫い目からなんなく浸入して低い方へ流れて浸透して行くと云う現象がある。この提案には、そういう現象を防止すべき考案と手段が構じられなければならないのに、むしろ水の浸入を容認するような従来通りのゴム紐を通して外と内を二重に絞って縮めただけであり、ギャザーのすきまから手首内部に水が浸入してしまうと言う問題点があった。
また、二重構造にした事でその着脱は極めて困難である。腕を通す時は内部二重目のゴム輪には手探りでは手の掌が通りにくいし、水仕事が済んでカバーを引き抜く場合は、水で濡れたギャザーはきつく締まっているから肌とか着衣との摩擦が大きいので、簡単には抜けないと言う問題点もあった。
【０００７】
また、この特許文献１に示す上腕部に於ける水止めカバーの仕組みは、ゴムで絞ってあり、折り返し部分に丸みがない。伝い水はギャザーにたっぷりと溜まり縫い目から内部に浸み込むか溢れて着衣や床に散るしかない。
よってこの提案は、手首の防水も上腕部の防水もすべて不完全な従来からある腕抜き形防水カバーと何ら変らない。
【０００８】
だから、多くの人々が半袖の時でも長袖の時でも水作業をする時は、腕時計やブレスレットなど装身具をわざわざ外さなければならないという煩わしさや、袖口をまくりあげれば大きくゆるむという不便さや不快さを余儀なくされると云う問題点もあった。
この発明は、上述のような問題を解決するために成されたもので、一筋の水も手首から浸入させない手首の完全防水と、着衣の袖部の水濡れ防止を実現するために上腕部の折り返し部分に水を溜めない仕組みを構ずる必要がある。
これを、この発明の課題とした。
【０００９】
【課題を解決するための手段】
着衣の上から腕を通して袖が濡れない様にカバーする手首の水止めカバーにおいて、着衣の袖口と袖部を収容出来る防水袖カバー部と、この防水袖カバー部の一端に設けられ手首に密着する様に形成された手首バンド部と、防水袖カバー部の他端に設けられ防水袖カバー部の外周部から外方向に湾曲して折り返された水戻し翼部とを備えたものである。
【００１０】
【発明の実施の形態】
実施の形態１．
図１は、この発明の一実施の形態を示す手首の水止めカバーの正面斜視図である。図２は、図１に示す手首の水止めカバーの断面図である。図３は、手首の水止めカバーを腕に装着した状態を示す斜視図である。
この発明の手首の水止めカバーの形状は、図１に示す通り、防水袖カバー部１と防水袖カバー部１の一端に形成された手首バンド部２と、防水袖カバー部１の他端に形成された水戻し翼部３とからなり、一枚物で一体に形成されている。
【００１１】
図に於いて、１は防水袖カバー部であり、円筒状で材質は例えば軟弾性と防水性に優れた天然ゴム等が使用され、図３の装着状態を示す斜視図の通り着衣の袖口５から着衣の袖部６の衣服を収容出来る内径を持たせてある。更に他端に近づくにつれてゆるやかに厚みを増して剛性を与えて形状保持性を良くしている。
【００１２】
２は防水袖カバー部１の一端に円筒状に形成された手首バンド部であり、材質は例えば軟弾性と防水性に優れた天然ゴム等が使用され、手首の肌に直に密着させている。図３の装着状態を示す斜視図の通り、手の掌及び甲７のつけ根７ａから手根骨突起８を包んで密着させるに足る所要の幅（たとえば成人女子では２０ｍｍ〜３０ｍｍ）を有し、手首回りよりやや小さめの内径をもつバンド部２を形成する事により、手首への完全密着を実現している。
【００１３】
３は防水袖カバー部１の他端に形成された水戻し翼部である。防水袖カバー部１の他端の外周部から外方向に湾曲して折り返された断面Ｕ字形（たとえば各水作業時の止水量に耐え得る少なくとも半径１０ｍｍ角度１８０度深さ２０ｍｍ）の丸底の止水溝４を有し、更に、材質に厚みを持たせて断面Ｕ字形を維持するに足る剛性を有する様に形成している。
【００１４】
次に、上述の様に構成された手首の水止めカバーの使用方法を図３〜図５に基き説明する。
図４は、手首の水止めカバーを腕に装着して洗顔をする状態を示す説明図であり、（Ａ）は洗顔時に水をすくい腕を上げた状態、（Ｂ）は腕を降ろした状態を示す。図５は、手首の水止めカバーを腕に装着して園芸作業または清掃作業等をしている状態を示す説明図である。
【００１５】
図４に示す通り、腕に手首の水止めカバーを装着して水作業をする場合に、肘関節を曲げて腕を上方に上げた時（図４（Ａ）に示す）手先から下方に向かって落下する飛散水や伝い水を水戻し翼部３の丸底の止水溝４で受け止めて、腕を下方に降す動作（図４（Ｂ）に示す）で下方に水を戻し丸底の止水溝４に水が溜まらない様に作用させ、袖部６の水濡れを防止している。
水戻し翼部３の働きは、図４に示す洗顔時には肘関節より手首側で作用させ、図５に示す腕を高く上げて水作業する園芸作業または清掃作業時には、肘関節より肩側で作用させるのが効果的である。
【００１６】
また、手首の完全防水を実現させたこの手首の水止めカバーを装着することにより、腕時計やブレスレット等の装身具９を着けたままで袖口５もまくり上げる必要がなくなるので、安心して全ての水作業をすることが出来る。
また、良く伸びる軟質の天然ゴムの特質により、手を通し易く抜き易い利点があり、その着脱は簡単容易である。しかも、畳んでも型くずれしないから携帯にも便利である。
【００１７】
【発明の効果】
この発明の手首の水止めカバーは、着衣の袖口と袖部を収容出来る防水袖カバー部と、この防水袖カバー部の一端に設けられ手首に密着する様に形成された手首バンド部と、防水袖カバー部の他端に設けられ防水袖カバー部の外周部から外方向に湾曲して折り返された水戻し翼部とを備えているので、一筋の水も手首内部に浸入させることがなくなると共に、すくった水の飛散水や伝い水を受け止めて下に戻し上腕部に水を溜めない作用で袖の水濡れも防ぐことが出来る。
【００１８】
【図面の簡単な説明】
【図１】この発明の実施の形態１を示す手首の水止めカバーの正面斜視図である。
【図２】この発明の実施の形態１を示す手首の水止めカバーの断面図である。
【図３】この発明の手首の水止めカバーを腕に装着した状態を示す斜視図である。
【図４】この発明の手首の水止めカバーを腕に装着して洗顔する状態を示す説明図である。
【図５】この発明の手首の水止めカバーを腕に装着して園芸作業または清掃作業等をしている状態を示す説明図である。
【符号の説明】
１  防水袖カバー部
２  手首バンド部
３  水戻し翼部
５  着衣の袖口
６  着衣の袖部
【図１】
2004316043.tif 000003
【図２】
2004316043.tif 000004
【図３】
2004316043.tif 000005
【図４】
2004316043.tif 000006
【図５】
2004316043.tif 000007